(57)【要約】【課題】シャワーホースが入浴具に当たる恐れを低減する。シャワー装置の左右勝手にも容易に対応可能にする。【解決手段】継手部材４の回転領域を正面視左側の左回転領域Ａと正面視右側の右回転領域Ｂとに区分けして設ける。継手部材４の回転領域を左回転領域Ａまたは右回転領域Ｂに設定する回転領域設定手段９を設ける。左回転領域Ａにある継手部材４が正面視で反時計廻りに所定以上回転することを規制する左回転領域用規制部１１と、右回転領域Ｂにある継手部材４が正面視で時計廻りに所定以上回転することを規制する右回転領域用規制部１２とを混合水栓３の背面３ａに設ける。継手部材４が左回転領域に位置した際に左回転領域用規制部１１に当接する左回転領域用当接部１４と、継手部材４が右回転領域に位置した際に右回転領域用規制部１２に当接する右回転領域用当接部１５とを継手部材４に設ける。【選択図】図１
2007195749.tif 000002
【特許請求の範囲】
【請求項１】
浴室の浴室壁から混合水栓を前方に突設し、継手部材に水栓取付部を設けると共にこの水栓取付部を軸方向が前後方向を向く回転軸廻りに回転自在にして混合水栓の背面に取付け、継手部材に回転軸に交差する方向に向けてホース接続部を設けると共にこのホース接続部にシャワーホースを接続し、継手部材の回転領域を正面視左側の左回転領域と正面視右側の右回転領域とに区分けして設けると共に、継手部材の回転領域を左回転領域または右回転領域に設定する回転領域設定手段を設け、左回転領域にある継手部材が正面視で反時計廻りに所定以上回転することを規制する左回転領域用規制部と、右回転領域にある継手部材が正面視で時計廻りに所定以上回転することを規制する右回転領域用規制部とを混合水栓の背面に設け、継手部材が左回転領域内に位置した際に左回転領域用規制部に当接する左回転領域用当接部と、継手部材が右回転領域内に位置した際に右回転領域用規制部に当接する右回転領域用当接部とを継手部材に設けたことを特徴とするシャワー装置。
【請求項２】
左回転領域用規制部及び右回転領域用規制部を混合水栓の背面から後方に突設し、回転領域設定手段を継手部材に前後方向に移動可能にして設けた当接突部で構成し、左回転領域用規制部及び右回転領域用規制部の後端位置を境に前後に位置可能にした当接突部の前端部に、継手部材が左回転領域内に位置すると共に当接突部が前方位置に位置した際に左回転領域用規制部に当接する左回転領域用当接部と、継手部材が右回転領域内に位置すると共に当接突部が前方位置に位置した際に右回転領域用規制部に当接する右回転領域用当接部とを設けたことを特徴とする請求項１に記載のシャワー装置。
【請求項３】
左回転領域を正面視でホース接続部が左方に向く状態で回転する継手部材の回転領域とし、右回転領域を正面視でホース接続部が右方に向く状態で回転する継手部材の回転領域とし、混合水栓の前面または下面に浴水を吐出する吐水部を設け、上記吐水部と混合水栓に取り付けた継手部材の水栓取付部とを左右方向における同位置に配置したことを特徴とする請求項１または２に記載のシャワー装置。
【請求項４】
当接突部を継手部材に前後方向に穿設したネジ孔に前後方向に螺進されるネジ具で構成したことを特徴とする請求項１乃至３のいずれかに記載のシャワー装置。
【請求項５】
当接突部を継手部材に前方に付勢するバネ材を介して設けた当接棒で構成し、左回転領域用規制部及び右回転領域用規制部を継手部材の背面から後方に突設した規制突部の左右の側面部で構成し、上記規制突部の左右の側面部を左右中央側ほど後方に位置する傾斜面に形成したことを特徴とする請求項１乃至３のいずれかに記載のシャワー装置。
【発明の詳細な説明】
【技術分野】
【０００１】
本発明は、シャワー装置に関するものである。
【背景技術】
【０００２】
従来から図６のように浴室の洗い場２５にはシャワー装置１が配設されている（たとえば特許文献１参照）。このシャワー装置１は、浴室の浴室壁２から混合水栓３を前方に突設し、混合水栓３の背面の左右中央部に継手部材４を介してシャワーホース７を垂直面内で回転自在に接続し、シャワーホース７の先端部にシャワーヘッド８を接続すると共にこのシャワーヘッド８を浴室壁２に配設されたヘッド保持具１７に引っ掛けて収納可能にしている。詳しくは、上記シャワー装置１の収納状態におけるシャワーホース７は、自重や内部に残留する浴水の重量によって、一旦混合水栓３から下方に垂れた後に上方に反転してシャワーヘッド８を介してヘッド保持具１７に吊り支持された状態になっている。なお、浴室のレイアウトによってヘッド保持具１７は混合水栓３の左右のいずれかの側に配設されるのであって、つまりシャワー装置１には左右勝手があるが、上記構成のシャワー装置１では一旦混合水栓３から下方に垂れた後にシャワーホース７が上方に反転する際に左右いずれかの上方に向けることで対応されている。
【０００３】
ところで、シャワー装置１の使用形態としては、ヘッド保持具１７から外したシャワーヘッド８からシャワー水を吐出させる使用形態や、ヘッド保持具１７に引っ掛けた状態のシャワーヘッド８からシャワー水を吐出させる使用形態がある。ここで、洗髪や身体を洗うための石鹸や洗髪剤等の入浴具３０は、ヘッド保持具１７に引っ掛けた状態のシャワーヘッド８から吐出したシャワー水がかかりにくい位置、すなわち混合水栓３よりもヘッド保持具１７の反対側の位置に置かれることが多いのであるが、ヘッド保持具１７からシャワーヘッド８を外してシャワー水を使用する際には、図６（ｂ）のようにシャワーホース７の撓み反力等がシャワーホース７を伝って継手部材４に伝播されて継手部材４がヘッド保持具１７の反対側に向けて回転してしまいシャワーホース７が混合水栓３からヘッド保持具１７の反対側に大きく膨らむように撓むといった場合があり、この場合、シャワーホース７が石鹸や洗髪剤等の入浴具３０に当たって倒してしまったり予期しない方向に突き飛ばしてしまうことがあった。
【０００４】
また、混合水栓３にはその前面や下面に浴水をストレート状に吐出する吐水部１６も設けられることが多く、吐水部１６から吐出された吐水は混合水栓３の下方域で洗面器２９に溜めるなどして使用されるのであるが、上記シャワー装置１の収納状態において混合水栓３から垂れた状態のシャワーホース７は混合水栓３の下方域に位置するために、シャワーホース７が混合水栓３の下方域にある洗面器２９に当たるなどして吐水部１６から吐出された吐水の使用を妨げてしまうことがあった。更に言うと、ヘッド保持具１７からシャワーヘッド８を外してシャワー装置１を使用する場合にも、図６（ｂ）のようにヘッド保持具１７からシャワーヘッド８を外した際にシャワーホース７が混合水栓３の下方域を横切って混合水栓３からヘッド保持具１７の反対側に大きく膨らむように撓むことがあり、この混合水栓３の下方域を横切るシャワーホース７が、混合水栓３の下方域に位置させようとする洗面器２９の邪魔になったり、混合水栓３の下方域に位置した洗面器２９に当たって倒してしまったり予期しない方向に突き飛ばしてしまうものであった。
【特許文献１】特開平６−１４２０００号公報
【発明の開示】
【発明が解決しようとする課題】
【０００５】
本発明は上記の従来の問題点に鑑みて為したものであって、シャワーホースが石鹸や洗髪剤等の入浴具に当たる恐れを低減すると共にシャワー装置の左右勝手にも容易に対応可能にし、更にシャワーホースが混合水栓に設けた吐水部からの吐水の使用を妨げないようにしたシャワー装置を提供することを課題とするものである。
【課題を解決するための手段】
【０００６】
上記課題を解決するために本発明の請求項１に係るシャワー装置は、浴室の浴室壁２から混合水栓３を前方に突設し、継手部材４に水栓取付部５を設けると共にこの水栓取付部５を軸方向が前後方向を向く回転軸廻りに回転自在にして混合水栓３の背面３ａに取付け、継手部材４に回転軸Ｋに交差する方向に向けてホース接続部６を設けると共にこのホース接続部６にシャワーホース７を接続し、継手部材４の回転領域を正面視左側の左回転領域Ａと正面視右側の右回転領域Ｂとに区分けして設けると共に、継手部材４の回転領域を左回転領域Ａまたは右回転領域Ｂに設定する回転領域設定手段９を設け、左回転領域Ａにある継手部材４が正面視で反時計廻りに所定以上回転することを規制する左回転領域用規制部１１と、右回転領域Ｂにある継手部材４が正面視で時計廻りに所定以上回転することを規制する右回転領域用規制部１２とを混合水栓３の背面３ａに設け、継手部材４が左回転領域に位置した際に左回転領域用規制部１１に当接する左回転領域用当接部１４と、継手部材４が右回転領域に位置した際に右回転領域用規制部１２に当接する右回転領域用当接部１５とを継手部材４に設けたことを特徴とする。
【０００７】
これによると、シャワーホース７を混合水栓３に接続する継手部材４の回転領域を区分けした左回転領域Ａまたは右回転領域Ｂに回転領域設定手段９によって設定可能にしたので、混合水栓３の左側または右側にシャワーヘッド８を保持するヘッド保持具１７を配設することで生じるシャワー装置１の左右勝手に対応して回転領域設定手段９によって継手部材４の回転領域を適宜の左回転領域Ａまたは右回転領域Ｂに容易に設定できるのであり、つまりシャワー装置１の左右勝手への汎用性を向上できたものであり、また、混合水栓３に左回転領域用規制部１１を設け、継手部材４に左回転領域用当接部１４を設け、継手部材４が左回転領域に位置した際に左回転領域用規制部１１に左回転領域用当接部１４を当接させて継手部材４が正面視で反時計廻りに所定以上回転することを規制したので、継手部材４が左回転領域Ａにある際にシャワーホース７を混合水栓３の右側には位置させにくくできるのであり、また、混合水栓３に右回転領域用規制部１２を設け、継手部材４に右回転領域用当接部１５を設け、継手部材４が右回転領域に位置した際に右回転領域用規制部１２に右回転領域用当接部１５を当接させて継手部材４が正面視で時計廻りに所定以上回転することを規制したので、継手部材４が右回転領域Ｂにある際にシャワーホース７を混合水栓３の左側には位置させにくくできるのであり、つまり、シャワー水が直接当たらないように左勝手のシャワー装置１の場合には混合水栓３の右側に、右勝手のシャワー装置１の場合には混合水栓３の左側に置かれることの多い洗髪剤等の入浴具３０に対してシャワーホース７を当てる恐れを低減することができるのである。
【０００８】
また、請求項２に係るシャワー装置は、請求項１において、左回転領域用規制部１１及び右回転領域用規制部１２を混合水栓３の背面３ａから後方に突設し、回転領域設定手段９を継手部材４に前後方向に移動可能にして設けた当接突部１３で構成し、左回転領域用規制部１１及び右回転領域用規制部１２の後端位置を境に前後に位置可能にした当接突部１３の前端部に、継手部材４が左回転領域に位置すると共に当接突部１３が前方位置に位置した際に左回転領域用規制部１１に当接する左回転領域用当接部１４と、継手部材４が右回転領域に位置すると共に当接突部１３が前方位置に位置した際に右回転領域用規制部１２に当接する右回転領域用当接部１５とを設けたことを特徴とする。これによると、左回転領域用当接部１４や右回転領域用当接部１５を備えて継手部材４の混合水栓３に対する回転を規制するための当接突部１３を継手部材４の回転領域を左回転領域Ａまたは右回転領域Ｂに設定するための回転領域設定手段９としても用いたので、つまり異なる機能を１つの部材で兼用できてシャワー装置１の構成を簡略化できるのである。
【０００９】
また、請求項３に係るシャワー装置は、請求項１または２において、左回転領域Ａを正面視でホース接続部６が左方に向く状態で回転する継手部材４の回転領域とし、右回転領域Ｂを正面視でホース接続部６が右方に向く状態で回転する継手部材４の回転領域とし、混合水栓３の前面３ｂまたは下面３ｃに浴水を吐出する吐水部１６を設け、上記吐水部１６と混合水栓３に取り付けた継手部材４の水栓取付部５とを左右方向における同位置に配置したことを特徴とする。これによると、継手部材４の回転領域となる左回転領域Ａと右回転領域Ｂとをホース接続部６が左方または右方に向く領域に設定したので、ホース接続部６に接続したシャワーホース７が混合水栓３から垂下した位置に位置されることを回避でき、混合水栓３の下方域での吐水部１６からの吐水の使用をシャワーホース７で妨げることを無くすることができるのである。
【００１０】
また、請求項４に係るシャワー装置は、請求項１乃至３のいずれかにおいて、当接突部１３を継手部材４に前後方向に穿設したネジ孔１９に前後方向に螺進されるネジ具２０で構成したことを特徴とする。これによると、継手部材４に前後に移動可能にして設ける当接突部１３を単純な構造で構成できたのであり、シャワー装置１の構成の簡略化に資することができるのである。
【００１１】
また、請求項５に係るシャワー装置は、請求項１乃至３のいずれかにおいて、当接突部１３を継手部材４に前方に付勢するバネ材２２を介して設けた当接棒２３で構成し、左回転領域用規制部１１及び右回転領域用規制部１２を継手部材４の背面３ａから後方に突設した規制突部１０の左右の側面部１０ａ，１０ｂで構成し、上記規制突部１０の左右の側面部１０ａ，１０ｂを左右中央側ほど後方に位置する傾斜面２４に形成したことを特徴とする。これによると、継手部材４を強く回転させると、たとえばバネ材２２の付勢に抗って後方に移動された当接棒２３を左回転領域用規制部１１の傾斜面２４に昇らせて規制突部１０の後面を経て右回転領域用規制部１２に至らしめることができるのであり、つまり、継手部材４の左回転領域Ａと右回転領域Ｂとの切替設定が簡単操作でできるのである。
【発明の効果】
【００１２】
本発明は、シャワーホースが石鹸や洗髪剤等の入浴具に当たる恐れを低減すると共にシャワー装置の左右勝手にも容易に対応可能にし、更にシャワーホースが混合水栓に設けた吐水部からの吐水の使用を妨げないようにもできる、といった利点を有する。
【発明を実施するための最良の形態】
【００１３】
以下、本発明を添付図面に示す実施形態に基いて説明する。
【００１４】
図１乃至図４に本発明の実施の形態の例を示す。本例のシャワー装置１は、浴室の洗い場２５に臨む浴室壁２から混合水栓３を隙間を介して前方に突設し、上記隙間に臨む混合水栓３の背面３ａに継手部材４を介してシャワーホース７の基端を接続し、シャワーホース７の先端に接続したシャワーヘッド８を浴室壁２に配設したヘッド保持具１７に保持可能にして構成されている。便宜上、以下の説明では、シャワー装置１の正面視（前方から後方を見た視界）における左側を左方向、右側を右方向として説明していく（なお、図中の矢印ａは前方、矢印ｂは後方、矢印ｃは左方、矢印ｄは右方をそれぞれ示す）。
【００１５】
図１のように本例の継手部材４は横管部４ａと縦管部４ｂとをＬ字状に連結したエルボ管材で構成されており、横管部４ａの開口端に混合水栓３に取付ける水栓取付部５が設けられ、縦管部４ｂの開口端にシャワーホース７の基端を接続するホース接続部６が設けられている。水栓取付部５は軸方向が略水平で且つ前後方向を向く回転軸Ｋの軸廻りに回転自在にして混合水栓３の背面３ａに取付けられるのであり、ホース接続部６は上記隙間内の略垂直面内で回転するようにされる。具体的に回転軸Ｋは横管部４ａの管軸が構成している。なお、継手部材４は混合水栓３の背面３ａにおける左右方向の略中央部分に設けた継手取付部２８に水栓取付部５が取り付けられており、混合水栓３の背面３ａにおける左側部位及び右側部位には浴室壁２から至る給水管２６や給湯管２７がそれぞれ接続されている。
【００１６】
また、本例の継手部材４の横管部４ａには縦管部４ｂの突出方向と反対方向に突片１８が突設されており、この突片１８には前後方向に貫通するネジ孔１９が穿設されており、このネジ孔１９には後方からネジ具２０が螺合構造で着脱自在に設けられている。このネジ具２０はネジ孔１９に前後方向に螺進されるのであり、継手部材４に前後方向に移動可能にして設けた当接突部１３を構成している。また、混合水栓３の背面３ａにおける継手部材４の取付部位の上方位置にはブロック突起状の規制突部１０が後方に突設されている。この規制突部１０は背面視で継手部材４と共に回転軸廻りに回転するネジ具２０の回転軌跡上に位置するのであり、ネジ具２０をその頭部が突片１８の背面３ａに当たるような前後の移動範囲の前方位置に位置させたときにはネジ具２０の前端部が規制突部１０の後面よりも前方に位置し、つまりネジ具２０の前端部が規制突部１０の左右の側面部１０ａ，１０ｂに当接可能になっている。なお、ネジ具２０をネジ孔１９から取り外したり、取り外さないまでもネジ具２０を継手部材４に対して後方に移動させ、その前端部を規制突部１０の後端面１０ｃよりも後方位置に位置させると、ネジ具２０は規制突部１０に当接しないようにできるようになっている。
【００１７】
ここで、図３（ａ）のように前端位置に位置させたネジ具２０の左側部２０ａを規制突部１０の右側面部１０ｂに当接した状態では、継手部材４はホース接続部６が左方を向く状態となると共に、図３（ｂ）のように背面視で反時計廻り（正面視で時計廻り）方向には回転可能であるが、背面視で時計廻り（正面視で反時計廻り）方向には回転不能にされる。また、図４のように前端位置に位置させたネジ具２０の右側部２０ｂを規制突部１０の左側面部１０ａに当接した状態では、継手部材４はホース接続部６が右方を向く状態となると共に、背面視で時計廻り（正面視で反時計廻り）方向には回転可能であるが、背面視で反時計廻り（正面視で時計廻り）方向には回転不能にされる。つまり、継手部材４の回転領域は、ネジ具２０の規制突部１０への当接構造によって、ホース接続部６が左方を向く状態となる左回転領域Ａと、ホース接続部６が右方を向く状態となる右回転領域Ｂとに区分けされている。詳しくは、左回転領域Ａと右回転領域Ｂとは後述する混合水栓３の吐水部１６からの吐水の使用空間としての混合水栓３の下方域を挟むようにして設定されている。
【００１８】
換言すると、規制突部１０の右側面部１０ｂは左回転領域Ａにある継手部材４が正面視で反時計廻りに所定以上回転することを規制する左回転領域用規制部１１を構成するのであり、規制突部１０の右側面部１０ｂに当接するネジ具２０の左側部２０ａは継手部材４が左回転領域に位置した際に左回転領域用規制部１１に当接する左回転領域用当接部１４を構成している。また、規制突部１０の左側面部１０ａは右回転領域Ｂにある継手部材４が正面視で時計廻りに所定以上回転することを規制する右回転領域用規制部１２を構成するのであり、規制突部１０の左側面部１０ａに当接するネジ具２０の右側部２０ｂは継手部材４が右回転領域に位置した際に右回転領域用規制部１２に当接する右回転領域用当接部１５を構成している。また、ネジ具２０の規制突部１０への当接方向によって継手部材４の左回転領域Ａまたは右回転領域Ｂが決定されるのであり、つまり、ネジ具２０を後方に螺進させてネジ具２０を規制突部１０に当接不可にした後にネジ具２０を前方に螺進させて所望の方向から規制突部１０に当接させることで継手部材４の回転領域を左回転領域Ａまたは右回転領域Ｂに設定することができるから、継手部材４に前後方向に移動可能に設られたネジ具２０は回転領域設定手段９を構成している。
【００１９】
ここで、ヘッド保持具１７は浴室のレイアウトによって混合水栓３の左側または右側の浴室壁２に適宜配設されるのであるが、ヘッド保持具１７が混合水栓３の左側に配設された左勝手のシャワー装置１を形成する際には回転領域設定手段９の操作によって図２（ａ）のように継手部材４の回転領域はホース接続部６に接続したシャワーホース７が左方を向く左回転領域Ａに設定されるのであり、ヘッド保持具１７が混合水栓３の右側に配設された右勝手のシャワー装置１を形成する際には回転領域設定手段９の操作によって図２（ｂ）のように継手部材４の回転領域はホース接続部６に接続したシャワーホース７が左方を向く左回転領域Ａに設定される。つまり本例のシャワー装置１は回転領域設定手段９の操作によって左勝手、右勝手に対応できるのである。また、上述のように回転領域設定手段９は継手部材４に前後方向に螺進可能に設けられたネジ具２０であり、回転領域設定手段９の操作はネジ具２０の継手部材４に対する前後への螺進作業であるから容易な作業であり、つまり左勝手、右勝手に容易に対応可能にされている。
【００２０】
また、従来技術の項で述べたように、シャワー装置１の使用形態として、石鹸や洗髪剤等の入浴具３０はヘッド保持具１７に係止させたシャワーヘッド８から吐出されるシャワー水に直接当たらないように混合水栓３よりヘッド保持具１７の反対側に置くことが多いのであり、つまり、入浴具３０は左勝手のシャワー装置１では混合水栓３の右側に置かれ、右勝手のシャワー装置１では混合水栓３の左側に置かれることが多い。従来技術の例のシャワー装置１ではヘッド保持具１７からシャワーヘッド８を取り外して使用する際にシャワーホース７が混合水栓３よりヘッド保持具１７の反対側にまで撓むように至って入浴具３０をなぎ倒したりする問題があったが、本例のシャワー装置１では上記問題を有効に解決している。つまり、本例のシャワー装置１では、たとえば左勝手のシャワー装置１の場合には図１，図２（ａ），図３のように継手部材４の回転領域が左回転領域Ａに設定されるのであって継手部材４のホース接続部６が左方を向く状態にされると共に当接突部１３の左回転領域用当接部１４（ネジ具２０の左側部２０ａ）が規制突部１０の左回転領域用規制部１１（規制突部１０の右側面部１０ｂ）によって継手部材４が正面視で反時計廻りに所定以上回転することが規制されるのであり、つまり継手部材４のホース接続部６に接続したシャワーホース７が左方を向く状態にあるように規制されるのであるから、ヘッド保持具１７からシャワーヘッド８を取り外して使用する場合であってもシャワーホース７が混合水栓３の右側に至るように撓みにくくされており、混合水栓３の右側に置かれる入浴具３０にシャワーホース７が当たることがほとんど無いようにされているのである。一方、右勝手のシャワー装置１の場合も図２（ｂ）、図４のように、継手部材４の回転領域が右回転領域Ｂに設定されるのであって継手部材４のホース接続部６が右方を向く状態にされると共に当接突部１３の右回転領域用当接部１５（ネジ具２０の右側部２０ｂ）が規制突部１０の右回転領域用規制部１２（規制突部１０の左側面部１０ａ）によって継手部材４が正面視で時計廻りに所定以上回転することが規制されるのであり、つまり継手部材４のホース接続部６に接続したシャワーホース７が右方を向く状態にあるように規制されるのであるから、ヘッド保持具１７からシャワーヘッド８を取り外して使用する場合であってもシャワーホース７が混合水栓３の左側に至るように撓みにくくされており、混合水栓３の右側に置かれる入浴具３０にシャワーホース７が当たることがほとんど無いようにされているのである。
【００２１】
また、本例のシャワー装置１の混合水栓３には図２のようにストレート状の吐水を吐出する吐水部１６も設けられている。本例の吐水部１６は混合水栓３の前面３ｂにおける左右中央部から前方に突出した前突部の下面３ｃに下方に開口するように設けられている。吐水部１６は混合水栓３に取り付けた継手部材４の水栓取付部５と同様の混合水栓３の左右中央部に位置するのであって、つまり継手部材４の水栓取付部５と左右方向における同位置に設けられている。吐水部１６から鉛直下方に吐出される吐水は混合水栓３の下方域でたとえば洗面器２９に溜められたりして使用されるのであるが、この吐水部１６からの吐水の使用に際しても本例のシャワー装置１ではシャワーホース７が妨げることがないようにされている。つまり、本例のシャワー装置１では左勝手や右勝手に対応して継手部材４の回転領域を左回転領域Ａや右回転領域Ｂに設定することが行われるが、左回転領域Ａではホース接続部６が左方を向くとともに右回転領域Ｂではホース接続部６が右方に向くようにされており、つまりホース接続部６は吐水部１６からの吐水方向である鉛直下方には向かないようにされているのであって、しかしてホース接続部６に接続したシャワーホース７は吐水部１６からの吐水の使用域（混合水栓３の下方域）に位置しないのであり、吐水部１６からの吐水の使用をシャワーホース７で妨げることが防止されているのである。なお、ヘッド保持具１７からシャワーヘッド８を取り外した状態のシャワーホース７にあっても、左勝手や右勝手に対応してシャワーホース７が左方や右方を向く状態に規制されるのであって、つまりシャワーホース７は吐水部１６からの吐水の使用域（混合水栓３の下方域）に位置しにくくなっているから、吐水部１６からの吐水の使用をシャワーホース７で妨げることの防止が図られているのである。
【００２２】
図５には本発明の実施の形態の他例を示す。本例は先例と比較して回転領域設定手段９を構成する当接突部１３の構造を変更した例であり、その余の部位は先例と同構成を備えている。しかして、先例と同構成の部位には同符合を付して説明を省き、先例と異なる部位につき説明をしていく。
【００２３】
本例の当接突部１３は継手部材４に前方に付勢するバネ材２２を介して設けた当接棒２３で構成されている。詳しくは、本例では先例の突片１８の代わりに前方に開口せる部屋状空間を有した箱部２１を継手部材４の横管部４ａから突設し、箱部２１内にコイルバネで構成したバネ材２２、当接棒２３を順に収納し、当接棒２３の前端部を箱部２１の前方開口２１ａから前方に突出させている。なお、当接棒２３の後端部にはフランジ突起状の被抜止部２３ｃが設けられ、箱部２１の前方開口縁に設けた突起状の抜止部２１ｂに上記被抜止部２３ｃを後方から当接させることで、バネ材２２で前方に付勢された当接棒２３の箱部２１からの抜け落ちが防止されている。当接棒２３はバネ材２２によって前方に付勢されているが、上記バネ材２２の付勢に抗って後方に移動することも可能であり、つまり当接棒２３は継手部材４に対して前後方向に移動可能に設けられていて回転領域設定手段９を構成している。バネ材２２の付勢により前後の移動範囲の前方位置に位置された当接棒２３の前端部は混合水栓３の規制突部１０の左右の側面部１０ａ，１０ｂが構成する左回転領域用規制部１１及び右回転領域用規制部１２に当接可能にされている。つまり当接棒２３の前端部の左側部２３ａは左回転領域用規制部１１に当接する左回転領域用当接部１４を構成しており、当接棒２３の前端部の右側部２３ｂは右回転領域用規制部１２に当接する右回転領域用当接部１５を構成している。なお、バネ材２２の付勢に抗って継手部材４に対して後方に移動させた当接棒２３の前端部は上記左回転領域用規制部１１及び右回転領域用規制部１２に当接しないことが可能にされている。
【００２４】
ここで、本例の規制突部１０の左右の側面部１０ａ，１０ｂが構成する左回転領域用規制部１１及び右回転領域用規制部１２はそれぞれ左右中央側ほど後方に位置する傾斜面２４に形成されている。しかして、本例では、シャワー装置１の左右勝手に対応して継手部材４の回転領域を左回転領域Ａまたは右回転領域Ｂに回転領域設定手段９で設定するには、施工者は継手部材４を力を入れて回転させ、たとえば当接棒２３の前端を規制突部１０の左側面部１０ａの傾斜面２４に昇らせてバネ材２２の付勢に抗って後方に移動させ、当接棒２３の前端を規制突部１０の後端面１０ｃに沿って摺動させ、当接棒２３の前端を規制突部１０の右側面部１０ｂに至らせるといった作業で行うことができる。つまり、本例では、シャワー装置１の左右勝手に対応して行う回転領域設定手段９の操作が、継手部材４を力を入れて回転させるといった極めて簡単な操作で行うことが可能にされているのである。
【００２５】
なお、上記実施形態では混合水栓３は浴室の洗い場２５の端部から略垂直に立ち上がる浴室壁２から突設されたものを示したが、浴室壁２の一部に洗い場２５側（前方）に突出させたカウンター部を設けてこのカウンター部の前面から混合水栓３を前方に突設してもよいのは言うまでもない。また、上記実施形態では、継手部材４が左回転領域Ａに位置した場合のシャワーホース７は給湯管２７に干渉し、継手部材４をそれ以上正面視で時計廻りに回転不能にさせている。つまり、実質的には継手部材４の左回転領域Ａは、時計廻り方向の端部がシャワーホース７の給湯管２７への接触位置で規定されると共に反時計廻り方向の端部が左回転領域用当接部１４の左回転領域用規制部１１への当接位置で規定されている。また、継手部材４が右回転領域Ｂに位置した場合のシャワーホース７は給水管２６に干渉し、継手部材４をそれ以上正面視で反時計廻りに回転不能にさせている。つまり、実質的には継手部材４の右回転領域Ａは、時計廻り方向の端部がシャワーホース７の給水管２６への接触位置で規定されると共に時計廻り方向の端部が右回転領域用当接部１５の右回転領域用規制部１２への当接位置で規定されている。
【図面の簡単な説明】
【００２６】
【図１】本発明の実施の形態の例のシャワー装置であり、（ａ）はシャワー装置の要部の後方から見た斜視図であり、（ｂ）はシャワー装置の要部の分解斜視図である。
【図２】同上のシャワー装置であり、（ａ）は左勝手に対応したシャワー装置全体の正面図であり、（ｂ）は右勝手に対応したシャワー装置全体の正面図である。
【図３】（ａ）（ｂ）は継手部材が左回転領域にあるシャワー装置における動作を説明するシャワー装置の要部の後面図である。
【図４】継手部材が右回転領域にあるシャワー装置における動作を説明するシャワー装置の要部の後面図である。
【図５】本発明の実施の形態の他例のシャワー装置であって、（ａ）はシャワー装置の要部の分解斜視図であり、（ｂ）は継手部材の一部切欠側面図である。
【図６】従来技術の例のシャワー装置であり、（ａ）はシャワー装置全体の正面図であり、（ｂ）は問題点を説明するシャワー装置の要部の正面図である。
【符号の説明】
【００２７】
１  シャワー装置
２  浴室壁
３  混合水栓
３ａ  背面
４  継手部材
５  水栓取付部
６  ホース接続部
７  シャワーホース
９  回転領域設定手段
１０  規制突部
１１  左回転領域用規制部
１２  右回転領域用規制部
１３  当接突部
１４  左回転領域用当接部
１５  右回転領域用当接部
Ａ  左回転領域
Ｂ  右回転領域
Ｋ  回転軸
【図１】
2007195749.tif 000003
【図２】
2007195749.tif 000004
【図３】
2007195749.tif 000005
【図４】
2007195749.tif 000006
【図５】
2007195749.tif 000007
【図６】
2007195749.tif 000008